(57)【要約】【課題】ユーザの健康に関する情報の収集および分析を容易にする。【解決手段】健康状況情報記憶手段１ｄは、健康に関する測定を行う測定機器２による測定結果を示す健康状況情報を記憶する。分析情報記憶手段１ｅは、健康状況情報の分析に用いる分析情報を記憶する。分析結果情報記憶手段１ｆは、分析情報を用いて健康状況情報の分析によって得られる分析結果情報を記憶する。健康状況収集手段１ａは、電気的に接続された測定機器２から健康状況情報を取得し、取得した健康状況情報を健康状況情報記憶手段１ｄに記憶させる。分析手段１ｂは、分析情報を用いた健康状況情報の分析を行い、分析の結果を示す分析結果情報を分析結果情報記憶手段１ｆに記憶させる。出力手段１ｃは、健康状況情報記憶手段１ｄに記憶されている健康状況情報と分析結果情報記憶手段１ｆに記憶されている分析結果情報とを出力する。【選択図】図１
2010224997.tif 000002
【特許請求の範囲】
【請求項１】
健康に関する測定を行う測定機器による測定結果を示す健康状況情報を記憶する健康状況情報記憶手段と、
前記健康状況情報の分析に用いる分析情報を記憶する分析情報記憶手段と、
前記分析情報を用いて前記健康状況情報の前記分析によって得られる分析結果情報を記憶する分析結果情報記憶手段と、
電気的に接続された前記測定機器から前記健康状況情報を取得し、取得した前記健康状況情報を前記健康状況情報記憶手段に記憶させる健康状況収集手段と、
前記分析情報を用いた前記健康状況情報の前記分析を行い、前記分析の結果を示す前記分析結果情報を前記分析結果情報記憶手段に記憶させる分析手段と、
前記健康状況情報記憶手段に記憶されている前記健康状況情報と前記分析結果情報記憶手段に記憶されている前記分析結果情報とを出力する出力手段と、
を有することを特徴とする健康データ管理装置。
【請求項２】
ユーザの健康の改善に関する改善情報を記憶する改善情報記憶手段を有し、
前記出力手段は、前記分析結果情報記憶手段に記憶されている前記分析結果情報を参照して、前記分析手段による前記分析の結果に基づいて前記改善情報を出力することを特徴とする請求項１記載の健康データ管理装置。
【請求項３】
前記改善情報を提供するサーバと通信回線を介して通信する通信手段と、
前記通信手段で通信することにより前記サーバから前記改善情報を取得し、取得した前記改善情報を前記改善情報記憶手段に記憶させる取得手段と、
を有することを特徴とする請求項２記載の健康データ管理装置。
【請求項４】
前記分析情報を提供するサーバと通信回線を介して通信する通信手段と、
前記通信手段で通信することにより前記サーバから前記分析情報を取得し、取得した前記分析情報を前記分析情報記憶手段に記憶させる取得手段と、
を有することを特徴とする請求項１記載の健康データ管理装置。
【請求項５】
ユーザの医療機関に関する医療情報を記憶する医療情報記憶手段と、
前記医療情報を提供するサーバと通信回線を介して通信する通信手段と、
前記通信手段で通信することにより前記サーバから前記医療情報を取得し、取得した前記医療情報を前記医療情報記憶手段に記憶させる取得手段と、
を有し、
前記出力手段は、前記医療情報記憶手段に記憶されている前記医療情報を出力することを特徴とする請求項１記載の健康データ管理装置。
【請求項６】
コンピュータに、
電気的に接続された測定機器から健康状況情報を取得し、取得した健康に関する測定を行う前記測定機器による測定結果を示す前記健康状況情報を健康状況情報記憶手段に記憶させる健康状況収集ステップと、
分析情報記憶手段に記憶されている前記健康状況情報の分析に用いる分析情報を用いて前記健康状況情報の前記分析を行い、前記分析の結果を示す前記分析情報を用いた前記健康状況情報の前記分析によって得られる分析結果情報を分析結果情報記憶手段に記憶させる分析ステップと、
前記健康状況情報記憶手段に記憶されている前記健康状況情報と前記分析結果情報記憶手段に記憶されている前記分析結果情報とを出力する出力ステップと、
を実行させることを特徴とする健康データ管理プログラム。
【発明の詳細な説明】
【技術分野】
【０００１】
本発明は、ユーザの健康に関する情報を管理する健康データ管理装置および健康データ管理プログラムに関する。
【背景技術】
【０００２】
従来、ユーザの健康に関する情報を収集して分析することにより、ユーザの健康の維持を支援する装置が知られている。
【先行技術文献】
【特許文献】
【０００３】
【特許文献１】特開平１１−１３６３９１号公報
【特許文献２】特開平９−１０３４１３号公報
【発明の概要】
【発明が解決しようとする課題】
【０００４】
これに関して、例えば血圧計等の測定機器で健康に関するデータを取得しても、記録せずに活用されない場合があるという問題点があった。
また、健康は個人の日常生活全般から生じる様々な要因からの影響を受ける。このため、これらの要因は多岐に亘るため、情報の収集、分析および管理が煩雑である。
【０００５】
また、健康に関する測定結果を収集および分析しても、分析結果が好ましくない場合に、その旨を通知するのみでは、健康に関して抱えている問題が何ら解決されない。
本件はこのような点に鑑みてなされたものであり、ユーザの健康に関する情報の収集および分析を容易にする健康データ管理装置および健康データ管理プログラムを提供することを目的とする。
【課題を解決するための手段】
【０００６】
開示の健康データ管理装置は、健康に関する測定を行う測定機器による測定結果を示す健康状況情報を記憶する健康状況情報記憶手段と、前記健康状況情報の分析に用いる分析情報を記憶する分析情報記憶手段と、前記分析情報を用いて前記健康状況情報の前記分析によって得られる分析結果情報を記憶する分析結果情報記憶手段と、電気的に接続された前記測定機器から前記健康状況情報を取得し、取得した前記健康状況情報を前記健康状況情報記憶手段に記憶させる健康状況収集手段と、前記分析情報を用いた前記健康状況情報の前記分析を行い、前記分析の結果を示す前記分析結果情報を前記分析結果情報記憶手段に記憶させる分析手段と、前記健康状況情報記憶手段に記憶されている前記健康状況情報と前記分析結果情報記憶手段に記憶されている前記分析結果情報とを出力する出力手段と、を有する。
【０００７】
開示の健康データ管理装置によれば、健康状況情報記憶手段により、健康状況情報が記憶される。分析情報記憶手段により、分析情報が記憶される。分析結果情報記憶手段により、分析結果情報が記憶される。健康状況収集手段により、測定機器から健康状況情報が取得され、取得された健康状況情報が健康状況情報記憶手段に記憶される。分析手段により、分析情報を用いた健康状況情報の分析が行われ、分析結果情報が分析結果情報記憶手段に記憶される。出力手段により、健康状況情報と分析結果情報とが出力される。
【発明の効果】
【０００８】
開示の健康データ管理装置および健康データ管理プログラムによれば、ユーザの健康に関する情報に基づく分析を容易にすることが可能になり、ユーザの健康の維持および健康面における問題点の改善に貢献する。
【図面の簡単な説明】
【０００９】
【図１】本実施の形態の概要を示す図である。
【図２】本実施の形態のシステム構成を示す図である。
【図３】情報処理装置のハードウェア構成を示す図である。
【図４】情報処理装置の構成を示すブロック図である。
【図５】測定結果テーブルの構成例を示す図である。
【図６】事前登録テーブルの構成例を示す図である。
【図７】血圧診断基準テーブルの構成例を示す図である。
【図８】食事評価テーブルの構成例を示す図である。
【図９】健康状況収集処理の手順を示すフローチャートである。
【図１０】医療情報取得処理の手順を示すフローチャートである。
【図１１】生活習慣分析処理の手順を示すフローチャートである。
【図１２】ダイエット方法分析処理の手順を示すフローチャートである。
【図１３】改善案提示処理の手順を示すフローチャートである。
【図１４】結果表示画面を示す図である。
【図１５】結果表示画面を示す図である。
【図１６】ユーザの食事メニューの例を示す図である。
【図１７】ユーザの食事メニューに類似する食事メニューの例を示す図である。
【図１８】食事メニューの参考例を示す図である。
【図１９】参考例提示後のユーザの食事メニューの例を示す図である。
【発明を実施するための形態】
【００１０】
以下、実施の形態について、図面を参照して説明する。
図１は、本実施の形態の概要を示す図である。図１に示す健康データ管理装置１は、ユーザの健康に関する情報を管理する。健康データ管理装置１は、健康状況収集手段１ａ、分析手段１ｂ、出力手段１ｃ、健康状況情報記憶手段１ｄ、分析情報記憶手段１ｅおよび分析結果情報記憶手段１ｆを有する。
【００１１】
健康状況収集手段１ａは、電気的に接続された測定機器から健康状況情報を取得し、取得した健康状況情報を健康状況情報記憶手段１ｄに記憶させる。これにより、測定機器２から収集された健康状況情報が健康データ管理装置１によって収集される。
【００１２】
分析手段１ｂは、分析情報を用いた健康状況情報の分析を行い、分析の結果を示す分析結果情報を分析結果情報記憶手段１ｆに記憶させる。
出力手段１ｃは、健康状況情報記憶手段１ｄに記憶されている健康状況情報と分析結果情報記憶手段１ｆに記憶されている分析結果情報とを出力する。
【００１３】
健康状況情報記憶手段１ｄは、健康に関する測定を行う測定機器による測定結果を示す健康状況情報を記憶する。健康状況情報は、具体的には、ユーザの血圧、脈拍、体重、身長、体脂肪率、体温等の測定結果等、ユーザの健康に関する情報である。また、健康状況情報には、ユーザが摂取した食事内容を示す情報も含まれるものとする。
【００１４】
分析情報記憶手段１ｅは、健康状況情報の分析に用いる分析情報を記憶する。分析結果情報は、具体的には、ユーザの過去の健康状況情報またはそれに対して統計処理を行ったもの（平均値等）、測定結果の年齢別、性別の統計データ等である。
【００１５】
分析結果情報記憶手段１ｆは、分析情報を用いて健康状況情報の分析によって得られる分析結果情報を記憶する。分析結果情報は、具体的には、健康状況情報が示すユーザの健康状態や生活習慣等がユーザの健康において好ましいものであるか否かを示す情報である。
【００１６】
このような健康データ管理装置１によれば、健康状況情報記憶手段１ｄにより、健康状況情報が記憶される。分析情報記憶手段１ｅにより、分析情報が記憶される。分析結果情報記憶手段１ｆにより、分析結果情報が記憶される。健康状況収集手段１ａにより、測定機器から健康状況情報が取得され、取得された健康状況情報が健康状況情報記憶手段１ｄに記憶される。分析手段１ｂにより、分析情報を用いた健康状況情報の分析が行われ、分析結果情報が分析結果情報記憶手段に記憶される。出力手段１ｃにより、健康状況情報と分析結果情報とが出力される。
【００１７】
これによって、ユーザの健康に関する情報に基づく分析を容易にすることが可能になり、ユーザの健康の維持および健康面における問題点の改善に貢献する。
以下、本実施の形態について図面を参照して詳細に説明する。
【００１８】
図２は、本実施の形態のシステム構成を示す図である。図２に示す健康データ管理システムは、情報処理装置１００が、測定機器２００から収集した健康に関する測定結果およびネットワーク１０で接続された情報提供サーバ３００および医療機関サーバ４００から取得した情報に基づいて、ユーザの健康情報の管理を支援するシステムである。
【００１９】
本実施の形態に係る健康データ管理システムでは、情報処理装置１００が、ネットワーク１０を介して、情報提供サーバ３００および医療機関サーバ４００と接続される。
情報処理装置１００は、パーソナルコンピュータ等のコンピュータである。情報処理装置１００は、電気通信回線であるネットワーク１０を介して情報提供サーバ３００および医療機関サーバ４００と通信することにより、これらのサーバに記憶されている情報を収集する機能を有する。これにより、情報処理装置１００は、ユーザの健康に関する情報を収集することができる。
【００２０】
本実施の形態の情報処理装置１００は、収集した測定結果の保存および管理、収集した情報の判定基準の取得および管理、これらに基づくユーザの健康状態の判定、判定結果に基づくユーザの健康状態の管理、ユーザの生活習慣の管理およびユーザの健康に関するスケジュールの管理等を行う。
【００２１】
測定機器２００は、ユーザの健康に関する情報を測定して取得し、取得した情報を情報処理装置１００に電気的に接続してデータ転送することができる。ここで、測定機器２００は、体温、血圧、脈拍、体重、体脂肪率、運動量等が測定可能である。これにより、情報処理装置１００は、ユーザは例えば血圧計で測定した値を手入力することなく情報処理装置１００に取得させることができる。なお、これに限らず、情報処理装置１００は、これらの測定結果を手入力することにより情報処理装置１００に入力することもできる。
【００２２】
情報提供サーバ３００は、情報処理装置１００に対してネットワーク１０を介して、情報処理装置１００によるユーザの健康管理に用いられる情報等を提供する。情報提供サーバ３００は、情報処理装置１００に対して生活習慣情報、運動方法情報、ダイエット方法情報等を提供する。
【００２３】
医療機関サーバ４００は、情報処理装置１００に対してネットワーク１０を介して、病院、診療所、薬局等の医療機関に設置されたユーザの医療機関に関する情報を提供する。医療機関サーバ４００は、情報処理装置１００に対して医療機関が管理するカルテ情報、処方箋情報、予約情報等を提供する。
【００２４】
なお、本実施の形態の情報処理装置１００では、パーソナルコンピュータについて説明したが、情報処理装置１００は情報処理装置の一例であり、携帯電話やＰＤＡ（Personal Digital Assistant）を初めとする移動通信用端末装置、情報処理システムの端末装置等のように、各種の情報処理装置に適用することができる。
【００２５】
図３は、情報処理装置のハードウェア構成を示す図である。図３に示す情報処理装置１００は、ＣＰＵ（Central Processing Unit）１０１によって装置全体が制御されている。ＣＰＵ１０１には、バス１０７を介してＲＡＭ（Random Access Memory）１０２、ハードディスクドライブ（ＨＤＤ:Hard Disk Drive）１０３、グラフィック処理装置１０４、入力インタフェース１０５および通信インタフェース１０６が接続されている。
【００２６】
ＲＡＭ１０２には、ＣＰＵ１０１に実行させるＯＳ（Operating System）のプログラムやアプリケーションプログラムの少なくとも一部が一時的に記憶される。また、ＲＡＭ１０２には、ＣＰＵ１０１による処理に必要な各種データが記憶される。ＨＤＤ１０３には、ＯＳやアプリケーションプログラムが記憶される。
【００２７】
グラフィック処理装置１０４には、モニタ１１が接続されている。グラフィック処理装置１０４は、ＣＰＵ１０１からの命令に従って、画像をモニタ１１の画面に表示させる。入力インタフェース１０５には、キーボード１２とマウス１３とが接続されている。入力インタフェース１０５は、キーボード１２やマウス１３から送られてくる信号を、バス１０７を介してＣＰＵ１０１に送信する。
【００２８】
通信インタフェース１０６は、電気通信回線であるネットワーク１０等のネットワークに接続されている。通信インタフェース１０６は、これらのネットワークを介して、他のコンピュータとの間でデータの送受信を行う。
【００２９】
また、入力インタフェース１０５には、図２において前述した測定機器２００を接続することができる。これにより、情報処理装置１００は、各測定機器によって得られたユーザの健康に関する測定結果を収集することができる。
【００３０】
なお、情報提供サーバ３００、医療機関サーバ４００も、情報処理装置１００と同様のハードウェア構成によって実現される。
以上のようなハードウェア構成によって、本実施の形態の処理機能を実現することができる。
【００３１】
図４は、情報処理装置の構成を示すブロック図である。図４に示す情報処理装置１００は、ユーザの健康管理を支援する。情報処理装置１００は、健康状況収集部１１１、分析部１１２、出力部１１３、通信部１１４、取得部１１５、健康状況情報記憶部１５１、分析情報記憶部１５２、分析結果情報記憶部１５３、医療情報記憶部１５４、スケジュール情報記憶部１５５および改善情報記憶部１５６を有する。
【００３２】
健康状況収集部１１１は、電気的に接続された測定機器から健康状況情報を取得し、取得した健康状況情報を健康状況情報記憶部１５１に記憶させる。これにより、測定機器２００から収集された健康状況情報が情報処理装置１００によって収集される。なお、健康状況収集部１１１は、健康状況情報を測定機器２００から直接収集する他、ユーザの手入力を受け付けて収集することもできる。
【００３３】
分析部１１２は、分析情報を用いた健康状況情報の分析を行い、分析の結果を示す分析結果情報を分析結果情報記憶部１５３に記憶させる。
出力部１１３は、健康状況情報記憶部１５１に記憶されている健康状況情報と分析結果情報記憶部１５３に記憶されている分析結果情報とを出力する。また、出力部１１３は、分析結果情報記憶部１５３に記憶されている分析結果情報を参照して、分析部１１２による分析の結果に基づいて改善情報を出力する。また、出力部１１３は、医療情報記憶部１５４に記憶されているユーザの医療情報を出力する。また、出力部１１３は、スケジュール情報記憶部１５５に記憶されているスケジュール情報に基づいてユーザにスケジュールを通知するスケジュール通知情報を出力する。
【００３４】
出力部１１３から出力されたこれらの情報は、情報処理装置１００に接続されたモニタ１１に表示される。これにより、ユーザは測定機器２００により測定されたデータや分析結果、健康に関するスケジュール等を視認することができる。
【００３５】
また、これらの情報は、出力部１１３から図示しないコンピュータ、携帯電話などの情報端末装置等に送信され、これらの装置に記憶されてもよい。この場合、記憶された情報は、これらの装置または他の装置により必要に応じて表示され、または読み出される。
【００３６】
通信部１１４は、分析情報および改善情報を提供する情報提供サーバ３００（図２において前述）および医療情報を提供する医療機関サーバ４００（図２において前述）とネットワーク１０を介して通信する。
【００３７】
取得部１１５は、通信部１１４で通信することによりサーバから改善情報を取得し、取得した改善情報を改善情報記憶部１５６に記憶させる。
取得部１１５は、通信部１１４で通信することによりサーバから分析情報を取得し、取得した分析情報を分析情報記憶部１５２に記憶させる。
【００３８】
取得部１１５は、通信部１１４で通信することによりサーバから医療情報を取得し、取得した医療情報を医療情報記憶部１５４に記憶させる。
取得部１１５は、スケジュール情報を取得し、取得したスケジュール情報をスケジュール情報記憶部１５５に記憶させる。
【００３９】
健康状況情報記憶部１５１は、健康に関する測定を行う測定機器による測定結果を示す健康状況情報を記憶する。健康状況情報は、具体的には、ユーザの血圧、脈拍、体重、身長、体脂肪率、体温等の測定結果等、ユーザの健康に関する情報である。また、健康状況情報には、ユーザが摂取した食事内容を示す情報も含まれるものとする。
【００４０】
分析情報記憶部１５２は、健康状況情報の分析に用いる分析情報を記憶する。分析結果情報は、具体的には、ユーザの過去の健康状況情報またはそれに対して統計処理を行ったもの（平均値等）、測定結果の年齢別、性別の統計データ等である。
【００４１】
分析結果情報記憶部１５３は、分析情報を用いて健康状況情報の分析によって得られる分析結果情報を記憶する。分析結果情報は、具体的には、健康状況情報が示すユーザの健康状態や生活習慣等がユーザの健康において好ましいものであるか否かを示す情報である。
【００４２】
医療情報記憶部１５４は、ユーザの医療機関に関する医療情報を記憶する。医療情報は、例えば、医療機関が管理するカルテ情報、処方箋情報、予約情報等である。
スケジュール情報記憶部１５５は、ユーザの健康管理に関するスケジュールを示すスケジュール情報を記憶する。スケジュール情報は、例えば、医療情報に含まれる医療機関の予約情報、ユーザの運動等を行うスケジュールを示す情報等である。
【００４３】
改善情報記憶部１５６は、ユーザの健康の改善に関する改善情報を記憶する。改善情報は、例えば、ユーザにとって摂取することが好ましい理想的な食事メニュー、ユーザが行うことが好ましい運動方法およびダイエット方法等である。
【００４４】
次に、本実施の形態で使用されるデータのデータ構造例について説明する。
図５は、測定結果テーブルの構成例を示す図である。図５に示す測定結果テーブル１５１ａは、情報処理装置１００（図３において前述）によって作成および管理され、ＨＤＤ１０３（図３において前述）に記憶されている。測定結果テーブル１５１ａは、測定機器２００によって得られた健康に関する測定結果を示す健康状況情報を記憶するテーブルである。
【００４５】
測定結果テーブル１５１ａには、項目として“取得日時”、“最高血圧”、“最低血圧”、“脈拍”、“体重”、“身長”、“体脂肪率”、“体温”が設けられている。各項目の横方向に並べられた情報同士が互いに関連付けられて、健康状況情報を構成する。
【００４６】
取得日時は、各測定機器によって得られた測定結果が取得された日時を示す。最高血圧および最低血圧は、血圧計等によって測定されたそれぞれユーザの収縮期血圧および拡張期血圧の測定結果を示す。脈拍は、脈拍計等によって測定されたユーザの脈拍数の測定結果を示す。体重は、体重計等によって測定されたユーザの体重を示す。身長は、身長計等によって測定されたユーザの身長を示す。体脂肪率は、体脂肪計等によって測定されたユーザの体脂肪率を示す。体温は、体温計等によって測定されたユーザの体温を示す。
【００４７】
情報処理装置１００が提供する健康データ管理機能を利用するユーザは、情報処理装置１００に電気的に接続された各測定機器でユーザの健康に関する測定を行う。各測定機器はこれらの測定結果を示す情報を情報処理装置１００に転送する。情報処理装置１００は、転送された情報により、各測定結果を収集する。なお、これに限らず、測定機器は、情報処理装置１００に電気的に接続されてない状態でユーザの健康に関する測定を行い、その後に情報処理装置１００と電気的に接続して測定結果を示す情報を転送してもよい。また、ユーザは各測定機器による測定結果を手入力により情報処理装置１００に入力することもできる。
【００４８】
本実施の形態の情報処理装置１００では、健康状況情報は、情報処理装置１００による自動的な情報収集等によって作成され、情報処理装置１００のＨＤＤ１０３に記憶される。
【００４９】
図６は、事前登録テーブルの構成例を示す図である。図６に示す事前登録テーブル１５２ａは、情報処理装置１００（図３において前述）によって作成および管理され、ＨＤＤ１０３（図３において前述）に記憶されている。事前登録テーブル１５２ａは、測定機器２００によって得られた健康状況情報の分析に用いる分析情報であり、測定結果の分析のために事前に収集された事前登録情報を記憶するテーブルである。
【００５０】
事前登録テーブル１５２ａには、項目として“データ名”、“最高血圧”、“最低血圧”、“脈拍”、“体重”、“身長”、“体脂肪率”、“体温”が設けられている。各項目の横方向に並べられた情報同士が互いに関連付けられて、事前登録情報を構成する。
【００５１】
データ名は、事前登録情報を特定するために割り当てられた名称を示す。ここで、本人データ（良好）は、ユーザ自身の健康状態が良好な時に測定した測定結果に基づく情報である。同様に、本人データ（不調）は、ユーザ自身の健康状態が不調である時に測定した測定結果に基づく情報である。本人データ（良好）は、ユーザが「自己の健康状態が良い」と認識している時に測定された測定結果の平均値を用いることができる。同様に、本人データ（不調）は、ユーザが「自己の健康状態が悪い」と認識している時に測定された測定結果の平均値を用いることができる。
【００５２】
事前登録情報は、例えば、図６に示した本人データ（良好）および本人データ（不調）のように、ユーザ自身の健康状態が良好な時および不調な時のそれぞれについて収集しておき、新たに収集した測定結果がいずれの本人データに近いかによって判定してもよい。このとき、健康状況情報の各項目について、項目毎に評価して評価結果を総合してユーザの健康状態が良好または不調のいずれであるかを判定してもよい。
【００５３】
また、事前登録情報は、例えば、図６に示した一般平均データ１，２を用いて、ユーザの健康状態を判定してもよい。
本実施の形態の情報処理装置１００では、事前登録情報は、情報処理装置１００による自動的な情報収集等によって作成され、情報処理装置１００のＨＤＤ１０３に記憶される。
【００５４】
図７は、血圧診断基準テーブルの構成例を示す図である。図７に示す血圧診断基準テーブル１５２ｂは、情報処理装置１００（図３において前述）によって作成および管理され、ＨＤＤ１０３（図３において前述）に記憶されている。血圧診断基準テーブル１５２ｂは、測定機器２００によって得られた健康状況情報の分析に用いる分析情報であり、ユーザの血圧の測定結果の分析のために情報提供サーバ３００（図２において前述）から取得された血圧診断基準情報を記憶するテーブルである。
【００５５】
本実施の形態では、図７に示した血圧診断基準テーブル１５２ｂに基づいて、ユーザが測定した血圧に基づいて判定を行う。この血圧診断基準情報は、日本高血圧学会の診断基準に基づくものである。
【００５６】
本実施の形態の情報処理装置１００では、事前登録情報は、情報処理装置１００により情報提供サーバ３００から取得され、情報処理装置１００のＨＤＤ１０３に記憶される。
図８は、食事評価テーブルの構成例を示す図である。図８に示す食事評価テーブル１５３ａは、情報処理装置１００（図３において前述）によって作成および管理され、ＨＤＤ１０３（図３において前述）に記憶されている。食事評価テーブル１５３ａは、ユーザが摂取した食事を示す健康状況情報であると共に、摂取した食事の情報処理装置１００による分析結果を示す分析結果情報である食事評価情報を記憶するテーブルである。
【００５７】
本実施の形態では、図８に示した食事評価テーブル１５３ａに、ユーザが入力した摂取した食事の内容を記憶させ、記憶された食事内容について分析情報に基づいて判定を行い、さらに判定結果を記憶させる。
【００５８】
食事評価テーブル１５３ａには、項目として“食事”、“穀類芋類”、“果物”、“肉魚卵豆”、“牛乳乳製品”、“油脂脂身”、“野菜海藻きのこ”、“調味料”、“合計”が設けられている。各項目の横方向に並べられた情報同士が互いに関連付けられて、食事評価情報を構成する。
【００５９】
食事は、食事を特定するための情報を示す。穀類芋類は、その食事の材料に含まれていた穀類、芋類等の品数を示す。果物は、その食事の材料に含まれていた果物等の品数を示す。肉魚卵豆は、その食事の材料に含まれていた肉、魚、卵、豆等の品数を示す。牛乳乳製品は、その食事の材料に含まれていた牛乳、乳製品等の品数を示す。油脂脂身は、その食事の材料に含まれていた食用の油脂等の品数を示す。野菜海藻きのこは、その食事の材料に含まれていた野菜、海藻、きのこ等の品数を示す。調味料は、その食事の材料に含まれていた調味料の品数を示す。
【００６０】
合計は、その食事の上記の項目に示された各品数の合計数である。この合計は、上記の項目に基づく分析結果情報として機能する。
本実施の形態の情報処理装置１００では、食事評価情報は、ユーザの入力によって取得されたユーザの食事の内容を示す情報と、この食事の内容を示す情報の分析情報に基づく判定結果とにより生成され、情報処理装置１００のＨＤＤ１０３に記憶される。
【００６１】
次に、本実施の形態で実行される処理について説明する。
図９は、健康状況収集処理の手順を示すフローチャートである。図９に示す健康状況収集処理は、情報処理装置１００（図２において前述）が測定機器２００（図２において前述）から測定結果を収集する処理であり、ユーザによる測定結果の収集を開始する要求に基づいて実行される。
【００６２】
［ステップＳ１１］健康状況収集部１１１（図４において前述）は、情報処理装置１００に測定機器２００が接続されているか否かについて判定する。測定機器が接続されていれば、処理がステップＳ１２に進められる。一方、測定機器が接続されていなければ、処理がステップＳ１４に進められる。
【００６３】
［ステップＳ１２］健康状況収集部１１１は、ステップＳ１１で接続が確認された測定機器２００から健康状況情報を自動収集するかをユーザに質問し、回答の入力を受け付けることによりユーザに確認する。ユーザから自動収集を行う旨の回答が得られれば、処理がステップＳ１３に進められる。一方、ユーザから自動収集を行う旨の回答が得られなければ、処理がステップＳ１４に進められる。
【００６４】
［ステップＳ１３］健康状況収集部１１１は、測定機器２００による測定結果を示す健康状況情報を収集し、健康状況情報記憶部１５１（図４において前述）に記憶させる。
［ステップＳ１４］健康状況収集部１１１は、ユーザによる測定結果を示す健康状況情報の手入力を受け付け、健康状況情報記憶部１５１に記憶させる。
【００６５】
［ステップＳ１５］分析部１１２（図４において前述）は、ステップＳ１３またはステップＳ１４で収集した健康状況情報に基づいてユーザの健康に関する分析を行う。また、分析部１１２は、分析結果を示す分析結果情報を生成する。
【００６６】
［ステップＳ１６］健康状況収集部１１１は、収集した健康状況情報を健康状況情報記憶部１５１に記憶させる。同様に、分析部１１２は、生成した分析結果情報を分析結果情報記憶部１５３に記憶させる。
【００６７】
［ステップＳ１７］出力部１１３（図４において前述）は、収集された健康状況情報および生成された分析結果情報を表示するために出力する。その後、処理は終了する。
図１０は、医療情報取得処理の手順を示すフローチャートである。図１０に示す医療情報取得処理は、情報処理装置１００が医療機関サーバ４００から医療機関に関する情報（図２において前述）である医療情報を取得する処理であり、情報処理装置１００による医療情報の更新の時に実行される。
【００６８】
［ステップＳ２１］取得部１１５（図４において前述）は、ネットワーク１０（図２において前述）を介して通信部１１４（図４において前述）により医療機関サーバ４００に接続し、ユーザの認証を行う。ここで、ユーザを認証するために、電子化された診察券や保険証等を用いることができる。
【００６９】
［ステップＳ２２］取得部１１５は、ステップＳ２１でユーザの認証が行われた医療機関サーバ４００にアクセスが可能になる。
［ステップＳ２３］取得部１１５は、医療機関サーバ４００からユーザの医療関係の情報である医療機関情報を取得する。ここで、ステップＳ２３で取得される医療関係の情報には、例えば、カルテに記録されている所見や処方箋に記録されている処方薬等を示す情報の他、医療機関の診察の予約を示す情報等も含まれる。
【００７０】
［ステップＳ２４］取得部１１５は、ネットワーク１０を介して通信部１１４により情報提供サーバ３００（図２において前述）からユーザの医療情報の分析等に必要な分析情報を取得し、取得した分析情報を分析情報記憶部１５２に記憶させる。
【００７１】
［ステップＳ２５］分析部１１２は、ステップＳ２３およびステップＳ２４で取得した情報に基づいてユーザの医療情報に基づいて分析を行う。ここで、ステップＳ２５で行われる分析には、ステップＳ２５で取得されたユーザの医療情報に基づくものであり、カルテに記録されている所見や処方箋に記録されている処方薬等を示す情報に基づくユーザの健康状態の分析や薬の飲み合わせの安全性の確認の他、医療機関の診察の予約日時の確認等も含まれる。また、分析部１１２は、分析結果を示す分析結果情報を生成する。
【００７２】
［ステップＳ２６］取得部１１５は、取得した医療情報を医療情報記憶部１５４に記憶させる。同様に、分析部１１２は、生成した分析結果情報を分析結果情報記憶部１５３に記憶させる。
【００７３】
［ステップＳ２７］出力部１１３（図４において前述）は、取得された医療情報および生成された分析結果情報を表示するために出力する。
［ステップＳ２８］出力部１１３は、分析部１１２による分析結果に基づいて、ユーザの医療機関における診察の予約のスケジュールを示すスケジュール情報をスケジュール情報記憶部１５５に記憶させる。これにより、スケジュール情報に基づいて、情報処理装置１００またはユーザの携帯電話等の情報処理装置に対して、スケジュール情報が示す日時に値が付いたらユーザにスケジュールを通知する設定が行われる。その情報処理装置は、設定に従ってユーザに対して予約等のスケジュールを通知する。その後、処理は終了する。
【００７４】
図１１は、生活習慣分析処理の手順を示すフローチャートである。図１１に示す生活習慣分析処理は、情報処理装置１００がユーザの入力に基づいてユーザの生活習慣を分析する処理であり、ユーザによる生活習慣の分析の要求に基づいて実行される。
【００７５】
［ステップＳ３１］健康状況収集部１１１（図４において前述）は、ユーザの手入力によりユーザの生活習慣を示す情報を取得する。ここで、ステップＳ３１で取得されるユーザの生活習慣に関する情報は、例えば、ユーザが入力した運動方法を示す情報、摂取した食事内容を示す情報、睡眠時間や生活リズムを示す情報等である。
【００７６】
［ステップＳ３２］取得部１１５は、ネットワーク１０を介して通信部１１４により情報提供サーバ３００（図２において前述）からユーザの生活習慣に関する情報の分析等に必要な分析情報を取得し、取得した分析情報を分析情報記憶部１５２に記憶させる。
【００７７】
［ステップＳ３３］分析部１１２は、ステップＳ３１で収集した情報およびステップＳ３２で取得した情報に基づいてユーザの生活習慣に関する情報について分析を行う。ここで、ステップＳ３３で行われる分析には、ステップＳ３１で収集されたユーザの生活習慣に関する情報に基づくものである。また、分析部１１２は、分析結果を示す分析結果情報を生成する。
【００７８】
［ステップＳ３４］取得部１１５は、収集した生活習慣に関する情報を健康状況情報記憶部１５１に記憶させる。同様に、分析部１１２は、生成した分析結果情報を分析結果情報記憶部１５３に記憶させる。
【００７９】
［ステップＳ３５］出力部１１３（図４において前述）は、収集された生活習慣に関する情報および生成された分析結果情報を表示するために出力する。
［ステップＳ３６］分析部１１２は、ステップＳ３３で行った分析の分析結果が、ユーザの生活習慣について改善を要するものであるか否かについて判定する。改善を要するものであれば、処理がステップＳ３７に進められる。一方、改善を要するものでなければ、処理は終了する。
【００８０】
［ステップＳ３７］情報処理装置１００は、改善案提示処理（図１３において後述）を実行する。その後、処理は終了する。
図１２は、ダイエット方法分析処理の手順を示すフローチャートである。図１２に示すダイエット方法分析処理は、情報処理装置１００がユーザの入力に基づいてユーザが行っているダイエット方法や運動方法を分析する処理であり、ユーザによるダイエット方法の分析の要求に基づいて実行される。
【００８１】
［ステップＳ４１］健康状況収集部１１１（図４において前述）は、ユーザの手入力によりユーザのダイエット方法や運動方法を示す情報を取得する。
［ステップＳ４２］取得部１１５は、ネットワーク１０を介して通信部１１４により情報提供サーバ３００（図２において前述）からユーザのダイエット方法や運動方法の情報の分析等に必要な分析情報を取得し、取得した分析情報を分析情報記憶部１５２に記憶させる。
【００８２】
［ステップＳ４３］分析部１１２は、ステップＳ４１で収集した情報およびステップＳ４２で取得した情報に基づいてユーザのダイエット方法や運動方法を示す情報について分析を行う。ここで、ステップＳ４３で行われる分析には、ステップＳ４１で収集されたユーザのダイエット方法や運動方法を示す情報に基づくものである。また、分析部１１２は、分析結果を示す分析結果情報を生成する。
【００８３】
［ステップＳ４４］取得部１１５は、収集したダイエット方法や運動方法を示す情報を健康状況情報記憶部１５１に記憶させる。同様に、分析部１１２は、生成した分析結果情報を分析結果情報記憶部１５３に記憶させる。
【００８４】
［ステップＳ４５］出力部１１３（図４において前述）は、収集されたダイエット方法や運動方法を示す情報および生成された分析結果情報を表示するために出力する。
［ステップＳ４６］分析部１１２は、ステップＳ４３で行った分析の分析結果が、ユーザのダイエット方法や運動方法について改善を要するものであるか否かについて判定する。改善を要するものであれば、処理がステップＳ４７に進められる。一方、改善を要するものでなければ、処理は終了する。
【００８５】
［ステップＳ４７］情報処理装置１００は、改善案提示処理（図１３において後述）を実行する。その後、処理は終了する。
図１３は、改善案提示処理の手順を示すフローチャートである。図１３に示す改善案提示処理は、情報処理装置１００がユーザの入力に基づいてユーザの生活における問題点、特にダイエット方法や運動方法の改善案を提示する処理であり、生活習慣分析処理（図１１において前述）またはダイエット方法分析処理（図１２において前述）で改善を要すると分析された場合に実行される。
【００８６】
［ステップＳ５１］取得部１１５（図４において前述）は、ネットワーク１０（図２において前述）を介して通信部１１４により情報提供サーバ３００（図２において前述）からユーザに提示する改善案の候補であるダイエット方法や運動方法に関する情報である改善情報を取得し、取得した改善情報を改善情報記憶部１５６に記憶させる。ここで、改善情報は、ユーザの生活の改善に用いる情報であり、例えば、ユーザの食事メニュー、運動方法、ダイエット方法等のユーザの日常の行動の健康面における適否を判定するための情報、ユーザの日常の行動の健康面における問題点を改善する方法を示す情報等が含まれる。
【００８７】
［ステップＳ５２］分析部１１２は、ステップＳ５１で収集した情報および生活習慣分析処理またはダイエット方法分析処理で取得された情報に基づいてユーザのダイエット方法や運動方法等を示す情報について分析を行う。この分析により、ユーザの行動の健康面における改善案が作成される。また、分析部１１２は、分析結果を示す分析結果情報を生成する。
【００８８】
［ステップＳ５３］取得部１１５は、収集したダイエット方法や運動方法を示す情報を健康状況情報記憶部１５１に記憶させる。同様に、分析部１１２は、生成した分析結果情報を分析結果情報記憶部１５３に記憶させる。
【００８９】
［ステップＳ５４］出力部１１３（図４において前述）は、収集されたダイエット方法や運動方法を示す情報および生成された分析結果情報を表示するために出力する。
［ステップＳ５５］出力部１１３は、分析部１１２による分析結果に基づいて、ユーザのダイエット方法や運動方法のスケジュールを示すスケジュール情報をスケジュール情報記憶部１５５に記憶させる。これにより、スケジュール情報に基づいて、情報処理装置１００またはユーザの携帯電話等の情報処理装置に対して、スケジュール情報が示す日時に至ったらユーザにスケジュールを通知する設定が行われる。その情報処理装置は、設定に従ってユーザに対して予約等のスケジュールを通知する。その後、処理は終了する。
【００９０】
次に、本実施の形態で表示される表示画面について説明する。
図１４および図１５は、結果表示画面を示す図である。図１４に示す結果表示画面１１ａおよび図１５に示す結果表示画面１１ｂは、情報処理装置１００（図２において前述）のモニタ１１（図３において前述）にガジェット（gadget）として表示される画面であり、情報処理装置１００が有する健康データ管理機能による分析結果を表示する結果表示画面の一例である。
【００９１】
図１４に示す結果表示画面１１ａは、情報処理装置１００が有する健康データ管理機能による分析結果が好ましい場合の例であり、グラフ表示領域１１ａ１、メッセージ表示領域１１ａ２、分析結果画像表示部１１ａ３、操作部１１ａ４を有する。
【００９２】
結果表示画面１１ａのグラフ表示領域１１ａ１には、測定機器２００（図２において前述）等により収集されたユーザの血圧等の測定結果、血圧等の標準的な値（年齢別、性別の平均値等）等がグラフを用いて表示される。
【００９３】
メッセージ表示領域１１ａ２には、情報処理装置１００によるユーザの健康状態の分析結果に関するメッセージ等が表示される。このメッセージ表示領域１１ａ２において、例えば、ユーザの健康状態等が好ましいことを示すメッセージが表示される。
【００９４】
分析結果画像表示部１１ａ３には、情報処理装置１００によるユーザの健康状態の分析結果に関する画像等が表示される。この分析結果画像表示部１１ａ３において、例えば、ユーザの健康状態等が好ましいことを示す笑顔の画像が表示される。
【００９５】
操作部１１ａ４には、情報処理装置１００が有する健康データ管理機能に関する操作を行うボタンが表示される。この操作部１１ａ４に表示されるボタンを操作することにより、ユーザは情報処理装置１００が有する健康データ管理機能を使用することができる。
【００９６】
図１５に示す結果表示画面１１ｂは、情報処理装置１００が有する健康データ管理機能による分析結果が好ましくない場合の例であり、グラフ表示領域１１ｂ１、メッセージ表示領域１１ｂ２、分析結果画像表示部１１ｂ３、操作部１１ｂ４を有する。
【００９７】
結果表示画面１１ｂのメッセージ表示領域１１ｂ２において、例えば、ユーザの健康状態等が好ましくないことを示すメッセージが表示される。
分析結果画像表示部１１ｂ３において、例えば、ユーザの健康状態等が好ましくないことを示す顔の画像が表示される。
【００９８】
次に、本実施の形態による食事メニューの改善例について説明する。
図１６は、ユーザの食事メニューの例を示す図である。図１７は、ユーザの食事メニューに類似する食事メニューの例を示す図である。図１８は、食事メニューの参考例を示す図である。図１９は、参考例提示後のユーザの食事メニューの例を示す図である。
【００９９】
図１６に示すユーザの食事メニューの例は、ユーザのある２日間の朝食、昼食、間食、夜食の計８食の内容の例である。ユーザは、摂取した食事の内容を、図１６に示すような情報として情報処理装置１００に入力する。
【０１００】
図１７に示すユーザの食事メニューに類似する食事メニューの例は、ユーザが情報処理装置１００に入力した食事の内容に基づいて情報処理装置１００が有する健康データ管理機能により抽出された、ユーザが摂取した食事に類似するメニューの例である。情報処理装置１００は、図１６に示す食事メニューの入力を受け付け、受け付けた食事メニューについて類似する食事メニューの例を取得し、取得した食事メニューの例を表示することもできる。
【０１０１】
また、情報処理装置１００は、図１６に示す食事メニューの入力を受け付け、受け付けた食事メニューについて、図８に示す食事評価テーブルおよび図１２におけるダイエット方法分析処理による分析の結果、食事メニューが好ましくないものであると判定した場合、ユーザに対して、その食事メニューが好ましくない旨を通知するメッセージを表示してもよい。
【０１０２】
このとき情報処理装置１００は、例えば、ユーザが摂取した食事メニューからユーザが摂取した食材を抽出して評価することにより、ユーザが摂取した食事内容がユーザの健康に関して好ましいものであるか否かを分析する。
【０１０３】
情報処理装置１００は、例えば、結果表示画面１１ｂ（図１５において前述）に、ユーザが入力した食事メニューに類似する食事メニューを摂取していた人物が特定の病歴を持っていた場合、その旨を通知するメッセージ（例えば、「この食事メニューの方は、その後成人病に罹っています」等のメッセージ）を表示することにより、ユーザに対して食事メニューの改善を促すことができる。
【０１０４】
図１８に示す食事メニューの参考例は、情報処理装置１００によってユーザに対して提示される好ましい食事メニューの例である。
情報処理装置１００は、前述した分析の結果ユーザが摂取した食事が好ましいものでない場合に、例えば図１８に示すような、ユーザにとって好ましい食事メニューの例を表示することができる。また、情報処理装置１００は、ユーザに対して、その食事メニューを摂取することが好ましい旨を通知するメッセージを表示してもよい。
【０１０５】
例えば、情報処理装置１００は、結果表示画面１１ｂ（図１５において前述）に、そのメニューを摂取することを促すメッセージ（例えば、「先程食事メニューを表示した、成人病に罹った食事メニューの方は、その後、この食事メニューで健康を回復しています」等のメッセージ）を表示してもよい。
【０１０６】
図１９に示す参考例提示後のユーザの食事メニューの例は、図１８に示した食事メニューの参考例に基づいてユーザが摂取する食事の内容を改善した場合における食事メニューの例である。
【０１０７】
情報処理装置１００は、図１９に示すような好ましい食事メニューの入力を受け付けた場合、受け付けた食事メニューについて、図８に示す食事評価テーブルおよび図１２におけるダイエット方法分析処理による分析の結果、食事メニューが好ましいものであると判定する。そして、この場合、情報処理装置１００は、結果表示画面１１ａ（図１４において前述）に、そのメニューの摂取が好ましいことを示すメッセージを表示してもよい。
【０１０８】
以上のように、本実施の形態によれば、情報処理装置１００が有する健康データ管理機能により、ユーザの健康に関する情報に基づく分析を容易にすることが可能になり、ユーザの健康の維持および健康面における問題点の改善に貢献する。
【０１０９】
なお、上記の処理機能は、コンピュータによって実現することができる。その場合、情報処理装置１００が有すべき機能の処理内容を記述したプログラムが提供される。そのプログラムをコンピュータで実行することにより、上記処理機能がコンピュータ上で実現される。
【０１１０】
処理内容を記述したプログラムは、コンピュータで読み取り可能な記録媒体に記録しておくことができる。コンピュータで読み取り可能な記録媒体には、磁気記録装置、光ディスク、光磁気記録媒体、半導体メモリ等がある。磁気記録装置には、ＨＤＤ、フレキシブルディスク（ＦＤ）、磁気テープ（ＭＴ）等がある。光ディスクには、ＤＶＤ（Digital Versatile Disc）、ＤＶＤ−ＲＡＭ、ＣＤ−ＲＯＭ（Compact Disc - Read Only Memory）、ＣＤ−Ｒ（Recordable）／ＲＷ（ReWritable）等がある。光磁気記録媒体には、ＭＯ（Magneto - Optical disk）等がある。
【０１１１】
上記プログラムを流通させる場合には、例えば、そのプログラムが記録されたＤＶＤ、ＣＤ−ＲＯＭ等の可搬型記録媒体が販売される。また、プログラムをサーバコンピュータに記憶しておき、ネットワークを通じて、サーバコンピュータから他のコンピュータにそのプログラムを転送することもできる。
【０１１２】
上記プログラムを実行するコンピュータは、例えば、可搬型記録媒体に記録されたプログラムまたはサーバコンピュータから転送されたプログラムを、自己の記憶装置に記憶する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１１３】
以上、開示の健康データ管理装置および健康データ管理プログラムを、図示の実施の形態に基づいて説明したが、各部の構成は同様の機能を有する任意の構成のものに置換することができる。また、開示の技術に他の任意の構成物や工程が付加されてもよい。また、開示の技術は前述した実施の形態のうちの任意の２以上の構成を組み合わせたものであってもよい。
【０１１４】
上記については単に本発明の原理を示すものである。さらに、多数の変形、変更が当業者にとって可能であり、開示の技術は上記に示し、説明した正確な構成および応用例に限定されるものではなく、対応するすべての変形例および均等物は、添付の請求項およびその均等物による本発明の範囲とみなされる。
【０１１５】
（付記１）  健康に関する測定を行う測定機器による測定結果を示す健康状況情報を記憶する健康状況情報記憶手段と、
前記健康状況情報の分析に用いる分析情報を記憶する分析情報記憶手段と、
前記分析情報を用いて前記健康状況情報の前記分析によって得られる分析結果情報を記憶する分析結果情報記憶手段と、
電気的に接続された前記測定機器から前記健康状況情報を取得し、取得した前記健康状況情報を前記健康状況情報記憶手段に記憶させる健康状況収集手段と、
前記分析情報を用いた前記健康状況情報の前記分析を行い、前記分析の結果を示す前記分析結果情報を前記分析結果情報記憶手段に記憶させる分析手段と、
前記健康状況情報記憶手段に記憶されている前記健康状況情報と前記分析結果情報記憶手段に記憶されている前記分析結果情報とを出力する出力手段と、
を有することを特徴とする健康データ管理装置。
【０１１６】
（付記２）  ユーザの健康の改善に関する改善情報を記憶する改善情報記憶手段を有し、
前記出力手段は、前記分析結果情報記憶手段に記憶されている前記分析結果情報を参照して、前記分析手段による前記分析の結果に基づいて前記改善情報を出力することを特徴とする付記１記載の健康データ管理装置。
【０１１７】
（付記３）  前記改善情報を提供するサーバと通信回線を介して通信する通信手段と、
前記通信手段で通信することにより前記サーバから前記改善情報を取得し、取得した前記改善情報を前記改善情報記憶手段に記憶させる取得手段と、
を有することを特徴とする付記２記載の健康データ管理装置。
【０１１８】
（付記４）  前記分析情報を提供するサーバと通信回線を介して通信する通信手段と、
前記通信手段で通信することにより前記サーバから前記分析情報を取得し、取得した前記分析情報を前記分析情報記憶手段に記憶させる取得手段と、
を有することを特徴とする付記１記載の健康データ管理装置。
【０１１９】
（付記５）  ユーザの医療機関に関する医療情報を記憶する医療情報記憶手段と、
前記医療情報を提供するサーバと通信回線を介して通信する通信手段と、
前記通信手段で通信することにより前記サーバから前記医療情報を取得し、取得した前記医療情報を前記医療情報記憶手段に記憶させる取得手段と、
を有し、
前記出力手段は、前記医療情報記憶手段に記憶されている前記医療情報を出力することを特徴とする付記１記載の健康データ管理装置。
【０１２０】
（付記６）  ユーザの健康管理に関するスケジュールを示すスケジュール情報を記憶するスケジュール情報記憶手段と、
前記スケジュール情報を取得し、取得した前記スケジュール情報を前記スケジュール情報記憶手段に記憶させる取得手段と、を有し、
前記出力手段は、前記スケジュール情報記憶手段に記憶されている前記スケジュール情報に基づいてユーザに前記スケジュールを通知するスケジュール通知情報を出力することを特徴とする付記１記載の健康データ管理装置。
【０１２１】
（付記７）  コンピュータに、
電気的に接続された測定機器から健康状況情報を取得し、取得した健康に関する測定を行う前記測定機器による測定結果を示す前記健康状況情報を健康状況情報記憶手段に記憶させる健康状況収集ステップと、
分析情報記憶手段に記憶されている前記健康状況情報の分析に用いる分析情報を用いて前記健康状況情報の前記分析を行い、前記分析の結果を示す前記分析情報を用いた前記健康状況情報の前記分析によって得られる分析結果情報を分析結果情報記憶手段に記憶させる分析ステップと、
前記健康状況情報記憶手段に記憶されている前記健康状況情報と前記分析結果情報記憶手段に記憶されている前記分析結果情報とを出力する出力ステップと、
を実行させることを特徴とする健康データ管理プログラム。
【符号の説明】
【０１２２】
１  健康データ管理装置
１ａ  健康状況収集手段
１ｂ  分析手段
１ｃ  出力手段
１ｄ  健康状況情報記憶手段
１ｅ  分析情報記憶手段
１ｆ  分析結果情報記憶手段
【図１】
2010224997.tif 000003
【図２】
2010224997.tif 000004
【図３】
2010224997.tif 000005
【図４】
2010224997.tif 000006
【図５】
2010224997.tif 000007
【図６】
2010224997.tif 000008
【図７】
2010224997.tif 000009
【図８】
2010224997.tif 000010
【図９】
2010224997.tif 000011
【図１０】
2010224997.tif 000012
【図１１】
2010224997.tif 000013
【図１２】
2010224997.tif 000014
【図１３】
2010224997.tif 000015
【図１４】
2010224997.tif 000016
【図１５】
2010224997.tif 000017
【図１６】
2010224997.tif 000018
【図１７】
2010224997.tif 000019
【図１８】
2010224997.tif 000020
【図１９】
2010224997.tif 000021